(57)【要約】【課題】本体部から取り外した照明部を任意の位置に固定して使用可能な作業用照明装置を提供する。【解決手段】光を照射可能な照明部２と、照明部が着脱可能に取り付けられるバッテリ部３と、を備えた作業用照明装置１であって、照明部に、任意の位置に弾性係止可能な係止部３８を設けた。さらにバッテリ部３に、作業者の身体に取り付け可能な係止フック６０を設けた。加えてバッテリ部３に、係止部３８が弾性係止可能な係止開口５６等を設けた。【選択図】図２
2014041764.tif 000002
【特許請求の範囲】
【請求項１】
光を照射可能な照明部と、該照明部が着脱可能に取り付けられる本体部と、を備えた作業用照明装置であって、
前記照明部に、任意の位置に弾性係止可能な係止部を設けたことを特徴とする作業用照明装置。
【請求項２】
前記本体部に、作業者の身体に取り付け可能な取付部を設けたことを特徴とする請求項１に記載の作業用照明装置。
【請求項３】
前記本体部に、前記係止部が前記弾性係止可能な被係止部を複数設けたことを特徴とする請求項１又は２に記載の作業用照明装置。
【請求項４】
前記照明部に、前記係止部を回転移動可能に設けたことを特徴とする請求項１ないし３のいずれかに記載の作業用照明装置。
【請求項５】
前記本体部は、前記照明部に電源を供給するバッテリ部であることを特徴とする請求項１ないし４のいずれかに記載の作業用照明装置。
【請求項６】
前記照明部の外周に、熱可塑性エラストマーからなる表面層を形成したことを特徴とする請求項１ないし５のいずれかに記載の作業用照明装置。
【請求項７】
前記照明部を、螺旋状に形成されて伸縮自在なカールコードによって前記本体部と接続したことを特徴とする請求項１ないし６のいずれかに記載の作業用照明装置。
【請求項８】
前記照明部の外表面に、該照明部が放つ光を拡散させるレンズを配置して、前記外表面に、該外表面から外側へ突出して前記レンズを上方から覆う庇部を設けたことを特徴とする請求項１ないし７のいずれかに記載の作業用照明装置。
【請求項９】
前記照明部を防水構造としたことを特徴とする請求項１ないし８のいずれかに記載の作業用照明装置。
【請求項１０】
前記照明部の外形形状を、該照明部の光軸方向の寸法が最小となる略直方体形状としたことを特徴とする請求項１ないし９のいずれかに記載の作業用照明装置。
【発明の詳細な説明】
【技術分野】
【０００１】
この発明は、光を照射可能な照明部と、該照明部が着脱可能に取り付けられる本体部とを備えた作業用照明装置に関する。
【背景技術】
【０００２】
例えば特許文献１には、光を照射可能な照明部と、該照明部に電源を供給するバッテリパックが装着されたバッテリケースとを備え、照明部をバッテリケースに着脱可能に取り付けて、前記照明部がコードによって前記バッテリパックと電気的に接続された懐中電灯が開示されている。特許文献１の懐中電灯では、バッテリケースから取り外した照明部をバンドに固定した上で、当該バンドを作業者が着用しているヘルメットに取り付けることで、作業者は、工事現場の暗所にてヘルメットに固定した照明部から光を照射しながら作業を行うことができる。
【先行技術文献】
【特許文献】
【０００３】
【特許文献１】意匠登録第１４２４２９１号公報
【発明の概要】
【発明が解決しようとする課題】
【０００４】
しかしながら上記の懐中電灯に代表される作業用照明装置においては、バッテリケースを始めとする本体部から取り外した照明部を、バンドを介して作業者のヘルメットに固定して使用することはできても、ヘルメット以外に前記照明部を固定して使用することはできなかった。そこで、本体部から取り外した照明部を、ヘルメット以外の任意の位置に固定して使用できるようにすることが望まれていた。
【０００５】
この発明は、このような状況に鑑み提案されたものであって、本体部から取り外した照明部を任意の位置に固定して使用可能な作業用照明装置を提供することを目的とする。
【課題を解決するための手段】
【０００６】
請求項１の発明に係る作業用照明装置は、光を照射可能な照明部と、該照明部が着脱可能に取り付けられる本体部と、を備えた作業用照明装置であって、前記照明部に、任意の位置に弾性係止可能な係止部を設けたことを特徴とする。
【０００７】
請求項２の発明は、請求項１において、前記本体部に、作業者の身体に取り付け可能な取付部を設けたことを特徴とする。
【０００８】
請求項３の発明は、請求項１又は２において、前記本体部に、前記係止部が前記弾性係止可能な被係止部を複数設けたことを特徴とする。
【０００９】
請求項４の発明は、請求項１ないし３のいずれかにおいて、前記照明部に、前記係止部を回転移動可能に設けたことを特徴とする。
【００１０】
請求項５の発明は、請求項１ないし４のいずれかにおいて、前記本体部は、前記照明部に電源を供給するバッテリ部であることを特徴とする。
【００１１】
請求項６の発明は、請求項１ないし５のいずれかにおいて、前記照明部の外周に、熱可塑性エラストマーからなる表面層を形成したことを特徴とする。
【００１２】
請求項７の発明は、請求項１ないし６のいずれかにおいて、前記照明部を、螺旋状に形成されて伸縮自在なカールコードによって前記本体部と接続したことを特徴とする。
【００１３】
請求項８の発明は、請求項１ないし７のいずれかにおいて、前記照明部の外表面に、該照明部が放つ光を拡散させるレンズを配置して、前記外表面に、該外表面から外側へ突出して前記レンズを上方から覆う庇部を設けたことを特徴とする。
【００１４】
請求項９の発明は、請求項１ないし８のいずれかにおいて、前記照明部を防水構造としたことを特徴とする。
【００１５】
請求項１０の発明は、請求項１ないし９のいずれかにおいて、前記照明部の外形形状を、該照明部の光軸方向の寸法が最小となる略直方体形状としたことを特徴とする。
【発明の効果】
【００１６】
請求項１の発明に係る作業用照明装置によれば、本体部から取り外した照明部の係止部を、任意の位置に弾性係止させることで、照明部を任意の位置に固定して使用することが可能になる。
請求項２の発明によれば、本体部を、取付部によって作業者の身体に取り付けて持ち歩くことができる。
請求項３の発明によれば、複数の被係止部から選択した任意の被係止部に、照明部の係止部を弾性係止させることで、照明部が光を照射する位置を変更できる。
請求項４の発明によれば、係止部を回転移動させて、照明部に対する係止部の姿勢を任意に変化させることができる。よって、係止部が弾性係止される位置に、照明部を任意の姿勢で配置することが可能になる。
請求項５の発明によれば、電源を確保できない工事現場においても、照明部は、バッテリ部から給電されることで光を照射することが可能になる。
請求項６の発明によれば、表面層によって、照明部に加わろうとする衝撃を緩和できるため、照明部が破損することを抑制できる。
請求項７の発明によれば、カールコードが伸長可能な範囲内で、照明部を本体部から取り外して配置することが可能になる。加えて、照明部を本体部に取り付けるときは、カールコードを収縮状態にすることでカールコードの全長を短くできる。
請求項８の発明によれば、レンズによって拡散された光は、庇部によって遮られることで、レンズの上方へ拡散することが防止される。よって、例えば作業者が、着衣の胸ポケットに係止部を用いて照明部を固定した場合でも、光が直接作業者の目に届き難くなることで、作業者が眩しく感じることを防止できる。
請求項９の発明によれば、湿気の多い工事現場や雨中においても照明部を使用することが可能になる。
請求項１０の発明によれば、照明部の外形形状を、該照明部の光軸方向に薄い略直方体形状とすることで、照明部の扱い易さを向上させることができる。
【図面の簡単な説明】
【００１７】
【図１】本発明の実施形態で照明部をバッテリ部から取り外した作業用照明装置の正面側斜視図である。
【図２】照明部をバッテリ部から取り外した同作業用照明装置の背面側斜視図である。
【図３】同照明部の要部縦断面図である。
【図４】同照明部の要部横断面図である。
【図５】同照明部の背面図である。
【図６】同バッテリ部の内部構造を示した図である。
【図７】同作業用照明装置を作業者の腰ベルトに係止して使用する例を示した図である。
【図８】同作業用照明装置を作業台の上面に置いて使用する例を示した図である。
【発明を実施するための形態】
【００１８】
本発明の実施形態を図１ないし図８を参照しつつ説明する。図１及び図２に示すように充電式の作業用照明位置１は、照明部２とバッテリ部３とを備えている。図１及び図４に示すように照明部２は、樹脂製の前後の半割ハウジング２Ａ，２Ｂをシール部材４を介在させて組み付けた上下方向に長い略直方体形状とされている。そして図３に示すように照明部２の前面５の上部には、開口部６が設けられている。この開口部６には、正面視で横方向に長い楕円状かつ側面視で上下方向に長い楕円状で前面を球状の拡散レンズ部７としたレンズユニット８が、該拡散レンズ部７を前面５から前方へ突出させて嵌め込まれている。このレンズユニット８には、該レンズユニット８の径方向の外側へ突出するフランジ部９（図３参照。）が周設されている。このフランジ部９と前面５の裏側との間に、リング状のシール部材１０を介在させている。図３及び図４に示すようにレンズユニット８の後面には、拡散レンズ部７の内側と対向して該後面を貫通する貫通孔１５が設けられている。さらに照明部２の内部には、レンズユニット８の外側で貫通孔１５と対向する位置に、光源となる発光ダイオード（ＬＥＤ）１６が収容されている。図１及び図３に示すように本実施形態の照明部２は、ＬＥＤ１６の光軸方向Ｘの寸法が最小となる略直方体形状としている。照明部２の前面５には、該前面５から前方へ突出した拡散レンズ部７を上方から覆う樹脂製の庇部１７が、前記前面５の前方へ向けて突設されている。なお照明部２の前面５は本発明の照明部の外表面の一例であり、拡散レンズ部７は本発明のレンズの一例である。
【００１９】
図２ないし図５に示すように照明部２の背面１８に、以下に説明するように回転部材１９が水平回転可能に嵌め込まれている。図３に示すように回転部材１９は、樹脂製で円環板形状の本体部２０と、本体部２０の裏面中心付近から円筒状に突出する樹脂製の突出部２１と、本体部２０の中心及び突出部２１の中心を通って回転部材１９を貫通するねじ導入孔２２とを備えている。また図３及び図４に示すように背面１８には、円環状の凹部２５が設けられている。この凹部２５の中心付近には、照明部２の前後方向で前記背面１８を貫通する円筒状の貫通孔２６が連通する。そして図３に示すように、本体部２０が凹部２５に遊嵌し、突出部２１が貫通孔２６に遊嵌している。加えてねじ２７がねじ導入孔２２に挿通されて、照明部２の内部で、ねじ２７に螺合させたナット部材２８がワッシャ部材２９を介して背面１８の裏側に係止されている。このようにすることで回転部材１９を、ナット部材２８により背面１８に抜け止めしながら回転可能に配置できる。また図３及び図４に示すように、凹部２５に遊嵌された本体部２０と該凹部２５の内面との間にシール部材３０を介在させている。
【００２０】
図４に示すように回転部材１９（本体部２０）には、一対のクリップ保持部材３５，３５が、本体部２０の表側から外側へ突設されている。両クリップ保持部材３５，３５の間には軸部材３６（図３参照。）が掛け渡されている。この軸部材３６の外周には、コイルばね３７（図３及び図４参照。）が装着されており、クリップ３８が、コイルばね３７を介して両クリップ保持部材３５，３５に照明部２の前後方向へ回動可能に支持されている。図３に示すようにクリップ３８は、操作部３９と把持部４０とを備えており、常態ではコイルばね３７によって把持部４０が背面１８に押し付けられる方向に付勢されている。操作部３９は、クリップ３８の上端部に設けられており、作業者がコイルばね３７の付勢力に抗して操作部３９に押圧力を作用させると、この押圧力に応じて把持部４０を背面１８から任意に離間させることができる。この把持部４０は、コイルばね３７の弾性力によって、例えば作業者の着衣の胸ポケット、後述の第１係止開口５６（図２参照。）及び第２係止開口５８（図１参照。）にそれぞれ弾性係止させることが可能である。さらにクリップ３８は、回転部材１９の両クリップ保持部材３５，３５に支持されているため、回転部材１９を任意の位置に向けて水平回転させると、図５中の二点鎖線で示すようにクリップ３８も、回転部材１９の回転方向の任意の位置に回転移動させることが可能になる。なお、クリップ３８は本発明の係止部の一例である。
【００２１】
また図３に示すように照明部２の下面には、カールコード４２の照明部２側を照明部２の内部へ導入するコード導入口４３が形成されている。このカールコード４２は、図１及び図２に示すように螺旋状に形成されて伸縮自在であり、照明部２とバッテリ部３とを電気的に接続するものである。カールコード４２の照明部２側は、照明部２の内部に収容されて上記のＬＥＤ１６を点灯させるスイッチを介してＬＥＤ１６と電気的に接続されている。加えて図１ないし図５に示すように熱可塑性エラストマーからなる表面層４４が、照明部２の上面、コード導入口４３を除いた照明部２の下面及び照明部２の左右の両側面とそれぞれ一体に成形されている。さらに図１及び図２に示すように、表面層４４の内で照明部２の上面と一体成形された部分には、プッシュボタン４５が、表面層４４から上方へ突出して該表面層４４内に押し込み可能に配置されている。プッシュボタン４５が表面層４４内に押し込まれると、後述するように前記スイッチが押されることでＬＥＤ１６が光を照射可能となる。なお、照明部２の上面、コード導入口４３を除いた照明部２の下面及び照明部２の左右の両側面は本発明の照明部の外周の一例である。
【００２２】
図１、図２及び図６に示すようにバッテリ部３は、バッテリパック４８と、バッテリパック４８が着脱可能なバッテリアダプタ４９とを備えている。バッテリパック４８は、インパクトドライバ等の電動工具の電源として使用されるものであり、左右（図１及び図２参照。）の端部に、前後方向（同図参照。）に延びるスライドレール５０，５０（図６参照。）が形成されている。一方バッテリアダプタ４９は、前後方向（図１、図２及び図６参照。）に長く下面を開口させた中空の箱体部５１の後端部に下方への突設部５２を設けた側面視逆Ｌ字状に形成されている。そして箱体部５１の左右の下端には、前後方向に延びて前記スライドレール５０，５０を外側から挟持可能な一対のガイドレール（図示せず。）が形成されている。加えて箱体部５１の内部で一対のガイドレールの間には、端子板５３，５３（図６参照。）を下方へ突設した端子台５４（同図参照。）が配置されている。
【００２３】
図１及び図２に示すように箱体部５１の後面５５の上端部には、クリップ３８（図２参照。）の第１係止開口５６が開設されている。加えて図１に示すように突設部５２の右側面には、外側へループ状に突出するループ部５７が、該右側面と一体に形成されている。このループ部５７と前記右側面とで囲まれる空間によって、クリップ３８の第２係止開口５８が形成されている。なお、第１係止開口５６及び第２係止開口５８は本発明の被係止部の一例である。
【００２４】
また図１、図２及び図６に示すように箱体部５１の上面前端部には、先端を箱体部５１の後側に向けた逆Ｌ字状の係止フック６０が設けられている。図６に示すように係止フック６０は、前記上面前端部から外側へ突出する腕部６１と、腕部６１の先端から箱体部５１の後側へ延びる係止片６２とで構成されている。さらに、箱体部５１の前後方向における腕部６１の前方側で、箱体部５１の上面前端部には、箱体部５１の前面と連続して該箱体部５１の上面から外側へ突出する中空の箱状で、腕部６１と一体にされたコード導入部６３（図６参照。）が設けられている。このコード導入部６３の内部は、前記上面前端部に開口する開口部６４（図６参照。）を通じて箱体部５１の内部と連通している。加えてコード導入部６３には、カールコード４２のバッテリ部３側をコード導入部６３の内部へ導入するコード導入口６５（図６参照。）が形成されている。そしてコード導入部６３の内部に導入されたカールコード４２のバッテリ部３側は、前記端子板５３，５３（図６参照。）と電気的に接続されている。
【００２５】
バッテリパック４８をバッテリアダプタ４９に取り付ける場合には、図６に示すバッテリパック４８のスライドレール５０，５０を、箱体部５１のガイドレールに沿ってそれぞれスライドさせる。すると各ガイドレールが各スライドレール５０を挟持してバッテリパック４８がバッテリアダプタ４９に取り付けられると共に、端子板５３，５３がバッテリパック４８の端子（図示せず。）と電気的に接続される。図１に示すプッシュボタン４５を表面層４４内に押し込むことでＬＥＤ１６を点灯させるスイッチがオン状態になると、バッテリパック４８はカールコード４２を通じて照明部２のＬＥＤ１６（図１参照。）に電源を供給する。よって、ＬＥＤ１６は光を照射することになる。
【００２６】
次に作業用照明装置１の使用方法を説明する。図７には、バッテリ部３を作業者７０の右腰に取り付けて作業用照明装置１を使用する例を示した。バッテリ部３を前記右腰に取り付ける場合には、バッテリパック４８をバッテリアダプタ４９に取り付けて、箱体部５１の前面を上方、突設部５２を下方、該突設部５２の右側面を前方にそれぞれ位置させてバッテリ部３を倒立状態にする。そして作業者７０の右側で、図７に示すように係止フック６０の係止片６２を作業者７０の腰ベルト７１に係止させると、倒立状態のバッテリ部３を作業者７０の右腰に取り付けて持ち歩くことができる。図７では、照明部２をバッテリ部３に縦向きで固定した例を示している。ここではクリップ３８の把持部４０（図２及び図３参照。）を、第２係止開口５８（図１参照。）に該第２係止開口５８の上方から弾性係止させることで、照明部２をバッテリ部３に縦向きで固定した。照明部２をバッテリ部３に縦向き固定した状態で、照明部２のプッシュボタン４５を表面層４４内に押し込むと、拡散レンズ７によって拡散されたＬＥＤ１６からの光を、作業者の前方側の工事現場の暗所に照射することが可能になる。なお、係止フック６０は本発明の取付部の一例である。
【００２７】
一方、倒立状態のバッテリ部３を前記右腰に取り付けた状態では、前記把持部４０を、例えば作業者７０の着衣の胸ポケットに弾性係止させることで、バッテリ部３から取り外した照明部２が、ＬＥＤ１６を前方に向けて胸ポケットに固定可能となる。本実施形態では照明部２の外形形状を、ＬＥＤ１６の光軸方向Ｘ（図３参照。）に薄い略直方体形状とすることで、照明部２を胸ポケットに固定する際の該照明部２の取り扱いが容易となる。作業者７０が照明部２のプッシュボタン４５を表面層４４内に押し込むと、ＬＥＤ１６は光を照射する。そこで、作業者７０は工事現場の暗所にて光を照射しながら両手を使って作業を行うことができる。仮に胸ポケットに固定した照明部２が工事現場の建築設備に当たる等して作業に支障が生じる場合には、照明部２を胸ポケットから取り外して図７に示すようにバッテリ部３に一時的に固定すればよい。
【００２８】
作業者７０が照明部２を胸ポケットに固定して作業を行うときは、図３に示すように庇部１７は拡散レンズ部７を上方から覆っているため、拡散レンズ部７によって拡散されたＬＥＤ１６からの光は、庇部１７によって遮られて拡散レンズ部７の上方へ拡散することが防止される。よって、照明部２を前記胸ポケットに固定した場合でも、光が作業者７０の目に届き難くなることで、作業者７０が眩しく感じることを防止できる。これに加えて、例えば工事現場に障害物が存在しても、障害物が庇部１７に当たり拡散レンズ部７に直接当たることを防止できる。よって庇部１７によって拡散レンズ部７を保護できる。さらには、障害物が誤って照明部２の表面層４４（図１及び図２参照。）に当たった場合でも、障害物から照明部２に加わろうとする衝撃は表面層４４によって緩和される。このため、前記衝撃によって照明部２が破損することを抑制できる。
【００２９】
また作業者７０が、胸ポケット以外にもカールコード４２が伸長可能な範囲内で、該作業者７０の着衣の任意の位置に把持部４０を弾性係止させると、照射部２は前記任意の位置に固定されて光を照射することが可能になる。特に本実施形態では図５に示したようにクリップ３８（把持部４０）は、回転部材１９の回転方向の任意の位置に回転移動させることが可能である。このため、照明部２に対する把持部４０の姿勢を任意に変化させることができる。したがって、例えば作業者７０の周囲に障害物が存在しても、把持部４０を障害物を避けた位置に回転移動させて、照明部２を、障害物を避けた任意の姿勢で把持部４０によって着衣の任意の位置に弾性係止することが可能になる。さらに本実施形態の照明部２では、半割ハウジング２Ａ，２Ｂ間のシール部材４（図４参照。）、フランジ部９と前面５の裏面との間のシール部材１０（図３参照。）、本体部２０と凹部２５の内面との間のシール部材３０（図３参照。）によって、照明部２の内部への水の浸入が阻止される。よって、照明部２を防水構造とすることが可能になる。したがって、照明部２を湿気の多い工事現場や雨中においても使用することが可能になる。
【００３０】
図８には、作業用照明装置１を作業台の上面や工事現場の床面等に置いて使用する例を示した。例えば作業用照明装置１を前記作業台の上面に置いて使用する場合には、バッテリアダプタ４９に取り付けられたバッテリパック４８を作業台の上面に置いて、突設部５２を前方、本体部５１の前面を後方に位置させてバッテリ部３を水平姿勢に保つ。そして、前記把持部４０を回転部材１９の回転方向に回転移動させて、横向きの照明部２に対して把持部４０が下側に向くようにクリップ３８を位置させる。その後前記把持部４０を、第１係止開口５６（図２参照。）に該第１係止開口５６の上方から弾性係止させることで、照明部２をバッテリ部３に横向きで固定できる。このときカールコード４２は収縮状態になるので、照明部２をバッテリ部３から取り外して作業者の着衣の胸ポケットに固定する場合に比べて、カールコード４２の全長を短くできる。作業者が照明部２のプッシュボタン４５を表面層４４内に押し込むと、拡散レンズ部７によって拡散されたＬＥＤ１６からの光を、作業台の上面に安定して照射することが可能になる。
【００３１】
＜本実施形態の効果＞
本実施形態の作業用照明装置１では、バッテリ部３から取り外した照明部２のクリップ３８（把持部４０）を、例えば作業者の着衣の胸ポケット等の任意の位置に弾性係止させることで、照明部２を前記任意の位置に固定して使用することが可能になる。
【００３２】
また、作業者７０の右側でバッテリ部３の係止フック６０（係止片６２）を該作業者７０の腰ベルト７１に係止させると、倒立状態のバッテリ部３を作業者７０の右腰に取り付けて持ち歩くことができる。
【００３３】
さらに、照明部２のクリップ３８（把持部４０）を、倒立状態にしたバッテリ部３の第２係止開口５８に弾性係止させると、拡散レンズ７によって拡散されたＬＥＤ１６からの光を、作業者の前方側の工事現場の暗所に照射することが可能になる。一方、例えばバッテリアダプタ４９に取り付けられたバッテリパック４８を作業台の上面に置いて、前記クリップ３８（把持部４０）を、水平姿勢のバッテリ部３の第１係止開口５６に弾性係止させると、前記拡散されたＬＥＤ１６からの光を、作業台の上面に照射することが可能になる。よって把持部４０を、第２係止開口５８に弾性係止させた場合と第１係止開口５６に弾性係止させた場合とでは、前記拡散されたＬＥＤ１６からの光を照射する位置を変更できる。
【００３４】
加えてクリップ部３８（把持部４０）を、回転部材１９の回転方向に回転移動させて、照明部２に対する把持部４０の姿勢を任意に変化させることができる。よって、例えば工事現場の周囲に障害物が存在しても、照明部２を、障害物を避けた任意の姿勢で把持部４０によって作業者の着衣の任意の位置に弾性係止することが可能になる。
【００３５】
さらに加えて、電源を確保できない工事現場においても、照明部２のＬＥＤ１６は、バッテリ部３から電源が供給されることで光を照射することが可能になる。
【００３６】
また表面層４４が、照明部２の上面、コード導入口４３を除いた照明部２の下面及び照明部２の左右の両側面とそれぞれ一体に成形されたことから、表面層４４によって、照明部２に加わろうとする衝撃を緩和できる。このため、照明部２が破損することを抑制できる。
【００３７】
さらに、カールコード４２が伸長可能な範囲内で、照明部２をバッテリ部３から取り外して例えば作業者の着衣の胸ポケットに固定することが可能になる。加えて把持部４０を第１係止開口５６又は第２係止開口５８に弾性係止させることで、照明部２をバッテリ部３に固定するときは、カールコード４２が収縮状態になるので、該カールコード４２の全長が、照明部２を前記胸ポケットに固定する場合に比べて短くなる。
【００３８】
加えて、拡散レンズ部７によって拡散されたＬＥＤ１６からの光は、庇部１７によって遮られることで、拡散レンズ部７の上方へ拡散することが防止される。よって、照明部２を作業者の着衣の胸ポケットに固定した場合でも、光が作業者の目に届き難くなることで、作業者が眩しく感じることを防止できる。
【００３９】
さらに加えて、照明部２を防水構造としたため、照明部２を湿気の多い工事現場や雨中においても使用することが可能になる。
【００４０】
また照明部２の外形形状を、ＬＥＤ１６の光軸方向Ｘに薄い略直方体形状とすることで、例えば照明部２を作業者の着衣の胸ポケットに固定する際の該照明部２の取り扱い易さが向上する。
【００４１】
本発明は、上述した実施形態に限定されるものではなく、発明の趣旨を逸脱いない範囲内において構成の一部を適宜変更して実施できる。例えば、上述した実施形態ではクリップ３８の係止開口（第１係止開口５６，第２係止開口５８）をバッテリ部３に２つ形成したが、これに限らない。第１及び第２係止開口５６，５８に加えて、例えば箱体部５１の左右の側面の少なくとも一方や突設部５２の左右の両側面に前記クリップ３８の係止開口を形成することで、３つ以上の前記係止開口をバッテリ部３に形成してもよい。
【００４２】
また照明部２を作業者の着衣の任意の位置に固定することに限らず、照明部２の把持部４０を弾性係止させたバンドを、作業者が着用しているヘルメットに取り付けることで、照明部２をヘルメットに固定してもよい。
【００４３】
さらに上述した実施形態では、本発明を充電式の作業用照明装置１に適用した例を示したが、これに限らず、バッテリ部３に代えて、クリップ３８の係止開口が少なくとも１つ形成されて、商用電源から交流電力を入力して照明部２に直流電力を出力するＡＣ−ＤＣアダプタを備えた交流駆動式の作業用照明装置に本発明を適用してもよい。なお、ＡＣ−ＤＣアダプタは本発明の本体部の一例である。
【符号の説明】
【００４４】
１・・作業用照明装置、２・・照明部、３・・バッテリ部、５・・照明部の前面、７・・拡散レンズ部、１６・・発光ダイオード（ＬＥＤ）、１７・・庇部、３８・・クリップ、４２・・カールコード、４４・・表面層、５６・・第１係止開口、５８・・第２係止開口、６０・・係止フック、７０・・作業者、Ｘ・・ＬＥＤの光軸方向。
【図１】
2014041764.tif 000003
【図２】
2014041764.tif 000004
【図３】
2014041764.tif 000005
【図４】
2014041764.tif 000006
【図５】
2014041764.tif 000007
【図６】
2014041764.tif 000008
【図７】
2014041764.tif 000009
【図８】
2014041764.tif 000010